(57)【要約】【課題】表示手段に表示される複数のウィンドウの中の特定のウィンドウを簡単な操作で選択し、そのウィンドウに表示されるコンテンツを容易に拡大・縮小することができるようにする。【解決手段】複数のコンテンツを表示する表示手段と、前記コンテンツの表示属性の変更を指示する入力手段と、前記入力手段の指示に基づき前記コンテンツの表示属性を変更する制御手段を有し、前記制御手段はコンテンツに応じて変更する表示属性を決定する。【選択図】図１
2008146531.tif 000002
【特許請求の範囲】
【請求項１】
複数のコンテンツを表示する表示手段と、前記コンテンツの表示属性の変更を指示する入力手段と、前記入力手段の指示に基づき前記コンテンツの表示属性を変更する制御手段を有し、前記制御手段はコンテンツに応じて変更する表示属性を決定することを特徴とする表示装置。
【請求項２】
前記表示手段は、ひとつの表示画面から構成されることを特徴とする請求項１記載の表示装置。
【請求項３】
前記表示手段は、複数の表示画面から構成されることを特徴とする請求項１記載の表示装置。
【請求項４】
前記表示属性は、表示位置であることを特徴とする請求項１記載の表示装置。
【請求項５】
前記表示属性は、表示倍率であることを特徴とする請求項１記載の表示装置。
【請求項６】
前記表示属性は、表示範囲であることを特徴とする請求項１記載の表示装置。
【請求項７】
前記制御手段は、前記表示手段に表示された複数のコンテンツのうち少なくとも２つのコンテンツの表示属性を入れ替えることを特徴とする請求項１記載の表示装置。
【請求項８】
前記制御手段はコンテンツごとに変更する表示属性を決定することを特徴とする請求項１記載の表示装置。
【請求項９】
前記制御手段はコンテンツの種類ごとに変更する表示属性を決定することを特徴とする請求項１記載の表示装置。
【請求項１０】
前記入力手段は、回転により前記コンテンツの表示属性の変更を指示することを特徴とする請求項１に記載の表示装置。
【請求項１１】
前記制御手段は、さらに前記入力手段の回転方向に応じても変更する表示属性を決定できることを特徴とする請求項１０に記載の表示装置。
【請求項１２】
複数のコンテンツを表示する表示ステップと、前記コンテンツの表示属性の変更を指示する入力ステップと、前記入力ステップの指示に基づき前記コンテンツの表示属性を変更する制御ステップを有し、前記制御ステップはコンテンツに応じて変更する表示属性を決定することを特徴とする表示方法。
【請求項１３】
コンピュータが実行可能なプログラムであって、複数のコンテンツを表示する表示ステップと、前記コンテンツの表示属性の変更を指示する入力ステップと、前記入力ステップの指示に基づき前記コンテンツの表示属性を変更する制御ステップを有し、前記制御ステップはコンテンツに応じて変更する表示属性を決定することを特徴とするプログラム。
【発明の詳細な説明】
【技術分野】
【０００１】
本発明は、コンピュータの表示画面に複数のコンテンツデータを同時に表示する際に、それらのコンテンツの表示位置を相互に入れ替えるための表示装置および表示方法およびプログラムに関するものである。
【背景技術】
【０００２】
コンピュータ装置の出力を表示する手段として、マルチウィンドウシステムが広く用いられている。マルチウィンドウシステムを用いることにより、複数のアプリケーションの出力をそれぞれ別のウィンドウに同時に表示したり、複数の文書の内容を並べて表示させたりすることができる。
【０００３】
これら複数のウィンドウの中から操作したい、あるいは表示内容を見たいウィンドウを選択する場合、マウスなどのポインティングデバイスを用いて、そのウィンドウの一部をクリックすることにより、そのウィンドウを最前面に表示させるような操作方法が一般的である。
【０００４】
しかしながら、同時に表示するウィンドウの数が増え、目的のウィンドウが他のウィンドウの背面に表示されていて見えない状態にあると、目的のウィンドウを直接クリックすることができない。そのため、キーボードを用いて、予め設定されたキーを操作したり、あるいは、マウスに備えられているホイール部を回転させて、表示画面上のツールバーにおける表示内容を、予め用意された複数種の範囲内で順次循環的に切り換えて、複数ウィンドウの中からひとつを選択することにより、目的のウィンドウを最前面に表示することなどがおこなわれている。
【０００５】
しかしながら、キー操作による場合、複数のキーを同時に操作する必要がある。また、マウスのホイールを用いて、ツールバーを操作する場合も、複数のウィンドウの各々に対応する複数アイコンの中から、目的のウィンドウに対応するアイコンを選択し、そのアイコンをクリックしなければならず、いずれにしても、操作が煩わしいという問題点があった。
【０００６】
このような問題を解決する方法として、特許文献１に記載のプログラム選択方法は、ホイール付マウスの操作によって画面表示部の表示画面上を移動するマウスポインタの位置の如何にかかわらず、ホイール付マウスに備えられたホイール部を回転させるという簡単な操作をもって、起動中の複数のプログラムの各々を順次選択し、それにより、任意所望の一つを選択して、その任意所望のプログラムのウィンドウが画面表示部において最前面表示される状態となるようにしたものである。
【特許文献１】特開２００４−２４０７００号公報（第２−４頁）
【発明の開示】
【発明が解決しようとする課題】
【０００７】
しかしながら、例えば、表計算ソフトにおいて、数値データを表示するウィンドウと、そのデータを元に作成したグラフを表示するウィンドウ、表計算ソフトの使用方法を説明するヘルプウィンドウを同時に表示させて、共に参照しながら操作しているときに、数値データを入力・編集しているときは、数値データを表示させるウィンドウを大きく表示させたり、作成されたグラフの詳細を見たいときは、グラフのウィンドウの表示位置を見やすい位置に移動させたりして、注目しているウィンドウの表示属性を変更することにより、作業効率や表示内容の視認性を向上させることができる。
【０００８】
ここで、すべてのウィンドウを大きくしておけば、ウィンドウの大きさを変更する必要はないが、画面の大きさには制約があるため、相互のウィンドウが重なり合ってしまう。
【０００９】
従って、複数のウィンドウの内容を同時に見るためには、最も注目するウィンドウを大きく、その他のウィンドウを小さく表示することが望ましい。
【００１０】
このような場合、従来の操作方法では、ウィンドウをひとつひとつ選択して、それぞれ所望の大きさに変更し、注目するウィンドウが変わった場合は、再び、それに応じて注目すべきウィンドウの大きさを変更するという非常に煩雑な作業が必要であった。
【００１１】
前記特許文献１に記載のプログラム選択方法でも、マウスに付属するホイールの操作により簡単な操作で所望のウィンドウを選択し、このウィンドウを最前面に表示させることはできるものの、ウィンドウの表示順序が変わるだけであり、ウィンドウの表示位置や大きさなどの表示属性は変わらないため、注目するウィンドウを見やすく表示することはできなかった。
【００１２】
本発明は、このような問題点に鑑みてなされたもので、表示手段に表示される複数のウィンドウの中の特定のウィンドウを簡単な操作で選択し、そのウィンドウに表示されるコンテンツを容易に見やすくすることができる表示装置および表示方法を提供することを目的とする。
【課題を解決するための手段】
【００１３】
上記目的を達成するために、本発明の表示装置は以下のような構成を有する。
【００１４】
第１の発明は、複数のコンテンツを表示する表示手段と、前記コンテンツの表示属性の変更を指示する入力手段と、前記入力手段の指示に基づき前記コンテンツの表示属性を変更する制御手段を有し、前記制御手段はコンテンツに応じて変更する表示属性を決定する。
【００１５】
これにより、簡単な操作でコンテンツに応じて表示属性を変更することができるため、容易にコンテンツを見やすくすることができる。
【００１６】
第２の発明は、第１の発明において、表示手段は、ひとつの表示画面から構成される。
【００１７】
これにより、限られた画面の中でコンテンツを自在に見やすくすることができる。
【００１８】
第３の発明は、第１の発明において、表示手段は、複数の表示画面から構成される。
【００１９】
これにより、マルチモニタにおいてもコンテンツを自在に見やすくすることができる。
【００２０】
第４の発明は、第１の発明において、表示属性は、表示位置である。
【００２１】
第５の発明は、第１の発明において、表示属性は、表示倍率である。
【００２２】
第６の発明は、第１の発明において、表示属性は、表示範囲である。
【００２３】
これらにより、簡単な操作で適切な表示属性に変更することができ、容易にコンテンツを見やすくすることができる。
【００２４】
第７の発明は、第１の発明において、制御手段は、表示手段に表示された複数のコンテンツのうち少なくとも２つのコンテンツの表示属性を入れ替える。
【００２５】
これにより、注目度に応じて自在にコンテンツを見やすくすることができる。
【００２６】
第８の発明は、第１の発明において、制御手段はコンテンツごとに変更する表示属性を決定する。
【００２７】
これにより、コンテンツごとに適切な表示属性変更を行うことができる。
【００２８】
第９の発明は、第１の発明において、制御手段はコンテンツの種類ごとに変更する表示属性を決定する。
【００２９】
これにより、例えば文字コンテンツや画像コンテンツ、表コンテンツなどコンテンツの種類に応じて適切な表示属性変更を行うことができる。
【００３０】
第１０の発明は、第１の発明において、入力手段は、回転によりコンテンツの表示属性の変更を指示する。
【００３１】
これにより、直感的な操作で適切な表示属性に変更することができる。
【００３２】
第１１の発明は、第１０の発明において、制御手段は、さらに入力手段の回転方向に応じても変更する表示属性を決定できる。
【００３３】
これにより、直感的な操作で適切な表示属性に変更することができると共に、回転方向に応じて表示倍率や表示範囲などの表示属性を変更することができるので、より簡単な操作で容易にコンテンツを見やすくすることができる。
【発明の効果】
【００３４】
本願発明の表示装置、表示方法、及び記録媒体によれば、簡単な切り替え操作で、注目すべきコンテンツを大きなウィンドウに表示し、その他のコンテンツを比較的小さなウィンドウに表示することができ、コンピュータ画面を用いた入力や、出力内容の確認において作業効率や表示内容の視認性を向上させることができる。
【００３５】
また、コンテンツが表示されるウィンドウが変化したときに、そのコンテンツの表示倍率を新たなウィンドウの大きさに合わせて拡大・縮小するのか、もしくは表示範囲を拡大・縮小するのか、などいずれの表示属性に変更するかを、コンテンツごとに設定することにより、常に最も適切な表示をすることができる。
【００３６】
さらに、回転方向を指示する入力手段を用いることにより、コンテンツの表示位置の入れ替えやなどを、より簡易にかつ直感的におこなうことができる。
【発明を実施するための最良の形態】
【００３７】
以下、本発明の各実施の形態における表示装置について、図面を用いて説明する。
（実施の形態１）
図１は、本発明の第１の実施の形態における表示装置の構成図であり、入力手段１０１と制御手段１０２、設定手段１０３、表示手段１０４で構成されている。
【００３８】
表示手段１０４は、単一の画面からなり、画面にはＣＲＴや液晶が用いられる。
【００３９】
制御手段１０２は、表示手段１０４の画面上に複数のウィンドウを表示することにより、複数の画像を同時に表示する。本実施の形態では、図２（ａ）に示すように、表示手段１０４の画面上に２０１、２０２、２０３の３つのウィンドウが表示されており、ウィンドウ２０１には表計算の入力データ画像、ウィンドウ２０２にはウィンドウ２０１に入力されたデータを元に作成された棒グラフ画像、ウィンドウ２０３には、同じく、ウィンドウ２０１に入力されたデータを元に作成された円グラフ画像が、それぞれ表示されているものとする。
【００４０】
入力手段１０１は図３の３０１、３０２のように、２つのボタンによって構成され、これらのボタンのいずれかが押下されると、制御手段１０２は、表示手段１０４に表示されている複数の画像の表示位置を変更する。
【００４１】
具体的にはボタン３０１を押すと、各画像の表示位置を左回り方向に変更する。すなわち、ウィンドウ２０１に表示されている画像をウィンドウ２０２に、ウィンドウ２０２に表示されている画像をウィンドウ２０３に、ウィンドウ２０３に表示されている画像をウィンドウ２０１にそれぞれ表示する。
【００４２】
また、ボタン３０２を押すと、各画像の表示位置を右回りに変更する。すなわち、ウィンドウ２０１に表示されている画像をウィンドウ２０３に、ウィンドウ２０２に表示されている画像をウィンドウ２０１に、ウィンドウ２０３に表示されている画像をウィンドウ２０２にそれぞれ表示する。
【００４３】
また、設定手段１０３は、表示手段１０４に表示されている各ウィンドウ（図２の２０１〜２０３）に表示されている各画像に対して、入力手段１０１によって画像の表示位置の変更が指示されたときに、表示位置が入れ替えられた後、それぞれの画像が表示されるウィンドウの大きさに応じて画像の表示倍率を拡大・縮小するか、あるいは、画像の表示範囲を拡大・縮小するかを画像ごとに設定することができる。
【００４４】
図３の３０３、３０４、３０５に示す３つのボタンは、設定手段１０３の例であり、「設定」ボタン３０３は、一度押すと設定モードになり、もう一度押すと通常モードに戻るものとする。
【００４５】
ここで、設定モードにあるときは、入力手段１０１のボタン３０１、３０２（図３）を共用して、図２（ａ）に示すウィンドウ２０１〜２０３のいずれかを選択する。ここでは、ボタン３０１を押したときは、ウィンドウ２０１→２０２→２０３→２０１のように、選択されるウィンドウが変化し、また、ボタン３０２を押したときは、ウィンドウ２０１→２０３→２０２→２０１のように、選択されるウィンドウが変化するものとする。
【００４６】
このように、ボタン３０１、３０２のいずれかを押下して、設定対象となるウィンドウを選択し、「Ｚｏｏｍ」ボタン３０４を押下すると、そのウィンドウに表示されている画像は、表示位置が入れ替えられた後、それぞれの画像が表示されるウィンドウの大きさに応じて画像の表示倍率が拡大・縮小される。
【００４７】
また、選択されたウィンドウに対して、「Ｖｉｅｗ」ボタン３０５が押下されると、そのウィンドウに表示されている画像は、表示位置が入れ替えられた後、それぞれの画像が表示されるウィンドウの大きさに応じて画像の表示範囲が拡大・縮小される。
【００４８】
以上のように構成された本発明の第１の実施の形態における表示装置について、その動作を説明する。
【００４９】
まず、設定手段１０３の「設定」ボタン（図３の３０３）を押して、設定モードに入ると、制御手段１０２は、図２（ａ）に示す３つのウィンドウ２０１〜２０３のうち、ウィンドウ２０１の枠線を図２（ｂ）に示すように強調表示し、選択状態にする。
【００５０】
ここで、設定手段１０３の「Ｖｉｅｗ」ボタン（図３の３０５）を押すと、ウィンドウ２０１に表示されているデータ入力画像は、画像表示位置の切り替え時に、表示範囲が変化するよう設定される。
【００５１】
次に、入力手段１０１のボタン（図３の３０１、３０２）を押して、選択するウィンドウを変更する。
【００５２】
図２（ｂ）に示すように、ウィンドウ２０１が選択状態にあるときに、ボタン３０１を押すと、図２（ｃ）に示すように、ウィンドウ２０２が選択状態になる。また、ウィンドウ２０１が選択状態にあるときに、ボタン３０２を押すと、図２（ｄ）に示すように、ウィンドウ２０３が選択状態になる。
【００５３】
なお、ウィンドウ２０２が選択状態にあるときに（図２（ｃ））、ボタン３０１を押すと、制御手段１０２はウィンドウ２０３を選択状態にし（図２（ｄ））、ボタン３０２を押すと、ウィンドウ２０１を選択状態にする（図２（ｂ））。
【００５４】
また、ウィンドウ２０３が選択状態にあるときに（図２（ｄ））、ボタン３０１を押すと、制御手段１０２はウィンドウ２０１を選択状態にし（図２（ｂ））、ボタン３０２を押すと、ウィンドウ２０２を選択状態にする（図２（ｃ））。
【００５５】
このようにして、ウィンドウ２０２及びウィンドウ２０３をそれぞれ選択し、これらのウィンドウが選択状態にあるときに、設定手段１０３の「Ｚｏｏｍ」ボタン（図３の３０４）を押すことにより、ウィンドウ２０２に表示されている棒グラフ画像及びウィンドウ２０３に表示されている円グラフ画像は、画像表示位置の切り替え時に、表示倍率が変化するように設定される。
【００５６】
そして、もう一度、設定手段１０３の「設定」ボタン（図３の３０３）を押すことにより、設定モードを終了する。これで、表示手段１０４の表示は図２（ａ）のように戻る。
【００５７】
次に、入力手段１０１のボタン３０１（図３）を押すと、前述のように、制御手段１０２はウィンドウ２０１に表示されているデータ入力画像をウィンドウ２０２に、ウィンドウ２０２に表示されている棒グラフ画像をウィンドウ２０３に、ウィンドウ２０３に表示されている円グラフ画像をウィンドウ２０１に、それぞれの表示位置を変更する。
【００５８】
ここで、ウィンドウ２０１に表示されている表計算の入力データは、設定手段１０３により、表示位置が入れ替えられた後に、画像が表示されるウィンドウ、すなわち、ウィンドウ２０２の大きさに応じて、画像の表示範囲を拡大・縮小するよう設定されている。また、ウィンドウ２０２に表示されている棒グラフ画像は、ウィンドウ２０３の大きさに応じて、画像の表示倍率を拡大・縮小するよう設定されている。また、ウィンドウ２０３に表示されている円グラフ画像は、ウィンドウ２０１の大きさに応じて、画像の表示倍率を拡大・縮小するよう設定されている。従って、表示手段１０４に図２（ｅ）のように各画像が表示される。
【００５９】
次に、もう一度、入力手段１のボタン３０１を押すと、制御手段１０２は図２（ｅ）において、ウィンドウ２０１に表示されている円グラフ画像をウィンドウ２０２に、ウィンドウ２０２に表示されているデータ入力画像をウィンドウ２０３に、ウィンドウ２０３に表示されている棒グラフ画像をウィンドウ２０１に、それぞれの表示位置を変更する。従って、表示手段１０４に図２（ｆ）のように各画像が表示される。
【００６０】
さらにもう一度、入力手段１のボタン３０１を押すと、制御手段１０２は図２（ｆ）において、ウィンドウ２０１に表示されている棒グラフ画像をウィンドウ２０２に、ウィンドウ２０２に表示されている円グラフ画像をウィンドウ２０３に、ウィンドウ２０３に表示されているデータ入力画像をウィンドウ２０１に、それぞれの表示位置を変更する。従って、表示手段１０４による表示は最初の状態に戻り、図２（ａ）のように各画像が表示される。
【００６１】
このように、ボタン３０１を押すことにより、各画像の表示位置が左回りに切り替えられる。
【００６２】
一方、ボタン３０２を押すと、各画像の表示位置は右回りに切り替えられる。
【００６３】
図４は、表示手段１０４に表示される各画像の位置が、それぞれ、図２（ａ）、（ｅ）、（ｆ）であるときに、ボタン３０１もしくはボタン３０２を押すと、その後、画像がどのように表示されるかを表している。例えば、元の画面表示が図２（ｅ）であるとき、ボタン３０１を押すと、表示手段１０４は各画像を図２（ｆ）のように表示し、ボタン３０２を押すと、各画像は図２（ａ）のように表示される。
【００６４】
以上、説明したように、本発明の第１の実施の形態の表示装置によれば、複数のウィンドウを用いて、複数の画像を表示する表示手段１０４と、これらの画像の表示位置の切り替えを指示する入力手段１０１と、表示手段１０４に表示されている画像の表示位置を入れ替えるときに、表示位置が入れ替えられた後に、それぞれの画像が表示されるウィンドウの大きさに応じて画像の表示倍率を拡大・縮小するか、あるいは、画像の表示範囲を拡大・縮小するかを画像ごとに予め設定できる設定手段１０３と、制御手段１０２を設け、制御手段１０２は、入力手段１０１により画像入替が指示されると、表示手段１０４に表示された複数の画像の表示位置を予め定められた順序に基づき、入れ替えるようにしたので、ボタンを押すという簡単な操作で、注目すべき画像を大きなウィンドウに表示し、その他の画像を比較的小さなウィンドウに表示することができ、コンピュータ画面を用いた入力や、出力内容の確認において作業効率や表示内容の視認性を向上させることができる。
【００６５】
さらに、画像が大きなウィンドウに表示されたときに、表示倍率を拡大するのか、表示範囲を拡大するのかを、画像ごとに設定することにより、常に最も適切な表示をすることができる。
【００６６】
なお、本実施の形態では、入力手段１０１として２つのボタンを備え、２つのボタンのうち、いずれが押下されたかによって、画像の表示位置が入れ替わる方向を変化させるようにしたが、ボタンをひとつだけにして、画像の表示位置が入れ替わる方向を一方向だけに固定してもよい。
【００６７】
あるいは、３つ以上のボタンを設けて、それぞれのボタンとウィンドウを対応させ、例えば、第二のボタンが押下されたときは、第二のウィンドウに表示されている画像を最大ウィンドウの中に表示し、第三のボタンが押下されたときは、第三のウィンドウに表示されている画像を最大ウィンドウの中に表示するようにしてもよい。
【００６８】
また、画像の表示位置が切り替えられたときに、その画像の表示倍率を拡大・縮小するか、その画像の表示範囲を拡大・縮小するかを、最初に設定手段１０３を用いて設定したが、「表示倍率」と「表示範囲」のいずれかを初期設定値としておくことにより、初期設定値を変更する必要がないときは、設定手段１０３による設定操作を省略できるようにしてもよい。
【００６９】
さらに、この初期設定値を一切変更する必要がないときは、設定手段１０３を省略してもよい。
【００７０】
また、本実施の形態では、画像の表示倍率を拡大・縮小する際に、表示位置変更後のウィンドウの大きさに合うよう、縦・横双方の倍率を変更したため、画像の大きさとウィンドウの大きさによっては、画像が歪むこともあるが、縦横比が常に一定になるよう、拡大・縮小をおこなうようにしてもよいし、さらには、設定手段１０３により、画像を「表示倍率の拡大・縮小」に設定する際に、併せて縦・横比を一定に保持するかどうかを設定できるようにしてもよい。
【００７１】
また、「表示倍率」と「表示範囲」のいずれかを、一律に初期設定値とするのではなく、動画、静止画、ベクトル図形は「表示倍率」、テキスト、表は「表示範囲」など、画像の種類に応じて初期設定値を設定するようにしてもよい。
【００７２】
また、本実施の形態では、ウィンドウ２０１〜２０３を表示手段１０４に隙間なく並べ、入力手段１０１の操作により、これら３つのウィンドウに表示されている画像の表示位置がすべて切り替わる例について述べたが、必ずしも全てのウィンドウを隙間なく並べて配置する必要はない。
【００７３】
また、入力手段１０１の操作したときに、必ずしも表示手段１０４上に表示される全てのウィンドウ内の画像が、表示位置を切り替えられる必要はなく、一部の画像は入力手段１０１の操作の如何によらず、その表示位置が変更されないようにしてもよい。
（実施の形態２）
図５は、本発明の第２の実施の形態における表示装置の構成図であり、入力手段５０１と制御手段５０２、第一の表示手段５０４、第二の表示手段５０５で構成されている。
制御手段５０２は、第一の表示手段５０４、第二の表示手段５０５の画面上に各々ひとつ以上のウィンドウを表示することにより、複数の画像を同時に表示する。
【００７４】
本実施の形態では、図６（ａ）に示すように、第一の表示手段５０４の画面上に６０１、６０２の２つのウィンドウが、第二の表示手段５０５の画面上にウィンドウ６０３が表示されており、ウィンドウ６０１には天気予報画像、ウィンドウ６０２には詳細な地図画像、ウィンドウ６０３には広域の地図画像が、それぞれ表示されているものとする。
【００７５】
入力手段５０１は回転部分を有する入力デバイスであり、例えば、ジョグスイッチやボリュームスイッチ、ホイール付マウスのホイール部などが用いられ、入力手段５０１に対する回転操作に応じて、制御手段５０２は、表示手段５０４および表示手段５０５に表示されている画像の表示位置を変更する。
【００７６】
なお、より直感的な操作を可能とするために、入力手段５０１を回転操作する際の回転方向に合わせて、同じ回転方向で画像の表示位置を変更することが望ましい。
【００７７】
本実施の形態では、入力手段５０１として、左右両方向に回転可能なボリュームスイッチを用い、一定角度回転させるごとに、制御手段５０２に対し、回転検出通知を送る。本実施の形態では３０度回転するごとに、１回の回転検出通知を送出するものとする。
【００７８】
制御手段５０２は、入力手段５０１から左回転の回転検出通知を受信したときは、ウィンドウ６０１の画像をウィンドウ６０３に、ウィンドウ６０２の画像をウィンドウ６０１に、ウィンドウ６０３の画像をウィンドウ６０２に、それぞれ表示位置を変更し、同時に、表示位置が入れ替えられた後、それぞれの画像が表示されるウィンドウの大きさに応じて画像の表示倍率を拡大・縮小するものとする。
【００７９】
また、入力手段５０１から右回転の回転検出通知を受信したときは、ウィンドウ６０１の画像をウィンドウ６０２に、ウィンドウ６０２の画像をウィンドウ６０３に、ウィンドウ６０３の画像をウィンドウ６０１に、それぞれ表示位置を変更し、同時に、表示位置が入れ替えられた後、それぞれの画像が表示されるウィンドウの大きさに応じて画像の表示範囲を拡大・縮小するものとする。
【００８０】
以上のように構成された本発明の第２の実施の形態における表示装置について、その動作を説明する。
【００８１】
まず、入力手段５０１を３０度、左回転させると、前述のように、制御手段５０２は、入力手段５０１から左回転の回転検出通知を受信し、ウィンドウ６０１に表示されている天気予報画像をウィンドウ６０３に、ウィンドウ６０２に表示されている詳細な地図画像をウィンドウ６０１に、ウィンドウ６０３に表示されている広域の地図画像をウィンドウ６０２に、それぞれの表示位置を変更する。
【００８２】
ここで、左回転の回転検出通知を受信したときは、制御手段５０２は、表示位置が入れ替えられた後、それぞれの画像が表示されるウィンドウの大きさに応じて画像の表示倍率を拡大・縮小するので、ウィンドウ６０１に表示されている天気予報画像はウィンドウ６０３の大きさに、ウィンドウ６０２に表示されている詳細な地図画像はウィンドウ６０１の大きさに、ウィンドウ６０３に表示されている広域の地図画像はウィンドウ６０２の大きさに、それぞれ合わせて、画像の表示倍率が拡大・縮小され、第一の表示手段５０４および第二の表示手段５０５には、図６（ｂ）のように表示される。
【００８３】
さらに入力手段５０１を３０度、左回転させると、制御手段５０２は、入力手段５０１から、もう一度、左回転の回転検出通知を受信し、図６（ｂ）において、ウィンドウ６０１に表示されている詳細な地図画像をウィンドウ６０３に、ウィンドウ６０２に表示されている広域の地図画像をウィンドウ６０１に、ウィンドウ６０３に表示されている天気予報画像をウィンドウ６０２に、それぞれの表示位置を変更する。
【００８４】
ここでも各画像は、表示位置が入れ替えられた後、それぞれの画像が表示されるウィンドウの大きさに応じて画像の表示倍率が拡大・縮小されるので、第一の表示手段５０４および第二の表示手段５０５には、図６（ｃ）のように表示される。
【００８５】
さらにもう一度、入力手段５０１を３０度、左回転させると、制御手段５０２は、入力手段５０１から、さらにもう一度、左回転の回転検出通知を受信し、図６（ｃ）において、ウィンドウ６０１に表示されている広域の地図画像をウィンドウ６０３に、ウィンドウ６０２に表示されている天気予報画像をウィンドウ６０１に、ウィンドウ６０３に表示されている詳細な地図画像をウィンドウ６０２に、それぞれの表示位置を変更する。
【００８６】
そして、各画像は、表示位置が入れ替えられた後、それぞれの画像が表示されるウィンドウの大きさに応じて画像の表示倍率を拡大・縮小するので、第一の表示手段５０４および第二の表示手段５０５の表示は最初に戻り、図６（ａ）のように各画像が表示される。
【００８７】
一方、入力手段５０１を右回転すると、各画像の表示位置は逆方向に切り替えられる。
【００８８】
また右回転の場合、各画像は、表示位置が入れ替えられた後、それぞれの画像が表示されるウィンドウの大きさに応じて画像の表示範囲を拡大・縮小される。従って、第一の表示手段５０４および第二の表示手段５０５の表示が図６（ａ）のようであるとき、入力手段５０１を３０度、右回転させると、制御手段５０２は、入力手段５０１から右回転の回転検出通知を受信し、ウィンドウ６０１に表示されている天気予報画像はウィンドウ６０２の大きさに、ウィンドウ６０２に表示されている詳細な地図画像はウィンドウ６０３の大きさに、ウィンドウ６０３に表示されている広域の地図画像はウィンドウ６０１の大きさに、それぞれ合わせて、画像の表示範囲が拡大・縮小され、第一の表示手段５０４および第二の表示手段５０５には、図６（ｄ）のように表示される。
【００８９】
さらに入力手段５０１を３０度、右回転させると、制御手段５０２は、入力手段５０１から、もう一度、右回転の回転検出通知を受信し、図６（ｄ）において、ウィンドウ６０１に表示されている広域の地図画像をウィンドウ６０２に、ウィンドウ６０２に表示されている天気予報画像をウィンドウ６０３に、ウィンドウ６０３に表示されている詳細な地図画像をウィンドウ６０１に、それぞれの表示位置を変更する。
【００９０】
ここでも各画像は、表示位置が入れ替えられた後、それぞれの画像が表示されるウィンドウの大きさに応じて画像の表示範囲が拡大・縮小されるので、第一の表示手段５０４および第二の表示手段５０５には、図６（ｅ）のように表示される。
【００９１】
さらにもう一度、入力手段５０１を３０度、右回転させると、制御手段５０２は、入力手段５０１から、さらにもう一度、右回転の回転検出通知を受信し、図６（ｅ）において、ウィンドウ６０１に表示されている詳細な地図画像をウィンドウ６０２に、ウィンドウ６０２に表示されている広域の画像をウィンドウ６０３に、ウィンドウ６０３に表示されている天気予報画像をウィンドウ６０１に、それぞれの表示位置を変更する。
【００９２】
そして、各画像は、表示位置が入れ替えられた後、それぞれの画像が表示されるウィンドウの大きさに応じて画像の表示範囲を拡大・縮小するので、第一の表示手段５０４および第二の表示手段５０５の表示は最初に戻り、図６（ａ）のように各画像が表示される。
【００９３】
以上、説明したように、本発明の第２の実施の形態の表示装置によれば、第一の表示手段５０４、第二の表示手段５０５と、回転部分を有する入力手段５０１と、制御手段５０２を備え、第一の表示手段５０４および第二の表示手段５０３の画面上に、各々ひとつ以上のウィンドウを表示することにより、複数の画像を同時に表示し、制御手段５０２は、入力手段５０１が左方向に回転された場合は、第一の表示手段５０４および第二の表示手段５０５に表示されている各画像の表示位置を予め定められた順序に基づいて入れ替えると共に、表示位置が入れ替えられた後に、それぞれの画像が表示されるウィンドウの大きさに応じて画像の表示倍率を拡大・縮小し、また、入力手段５０１が右方向に回転された場合は、第一の表示手段５０４および第二の表示手段５０５に表示されている各画像の表示位置を予め定められた順序に基づいて入れ替えると共に、表示位置が入れ替えられた後に、それぞれの画像が表示されるウィンドウの大きさに応じて画像の表示範囲を拡大・縮小するようにしたので、入力手段５０１の回転部分を回転させるという簡単な操作で、注目すべき画像を、より大きなウィンドウに表示したり、第一の表示手段５０４に表示されている画像を第二の表示手段５０５に表示することができる。
【００９４】
また、入力手段５０１の回転方向により、表示位置が入れ替えられた後に、それぞれの画像が表示されるウィンドウの大きさに応じて画像の表示倍率を拡大・縮小するか、画像の表示範囲を拡大・縮小するかを切り替えるようにしたので、ボリュームスイッチを回転するという簡単な操作で、画像の表示方法を適切に切り替えることができる。
【００９５】
なお、上記実施例１および２では共に、ウィンドウが３つの場合について説明を行ったが、ウィンドウの数はこれに限定される必要はない。
【００９６】
また、上記実施例１の入力手段と実施例２の入力手段を相互に入れ替えて互いの実施例に適用することも可能である。
【００９７】
また、上記実施例１および２では共に、ウィンドウの表示内容であるコンテンツが移動する例について示したが、必ずしもコンテンツが移動する必要はなく、ウィンドウ自体がコンテンツと共に移動する構成であっても良い。
【産業上の利用可能性】
【００９８】
以上のように、本発明に係る表示装置、表示方法及び記録媒体は、コンピュータの出力として、複数のコンテンツを同一の画面、もしくは複数の画面に同時に表示するための表示装置、表示方法として有用である。
【図面の簡単な説明】
【００９９】
【図１】本発明の第１の実施の形態における表示装置の構成図
【図２】表示手段の表示例を表す図
【図３】入力手段および設定手段のボタン配置例を表す図
【図４】表示手段の表示の遷移を表す図
【図５】本発明の第２の実施の形態における表示装置の構成図
【図６】本発明の第２の実施の形態における表示手段の表示例を表す図
【符号の説明】
【０１００】
１０１    入力手段
１０２    制御手段
１０３    設定手段
１０４    表示手段
【図１】
2008146531.tif 000003
【図２】
2008146531.tif 000004
【図３】
2008146531.tif 000005
【図４】
2008146531.tif 000006
【図５】
2008146531.tif 000007
【図６】
2008146531.tif 000008